(57)【要約】【課題】室内を仕切る間仕切りパネル１の天井レール１１の端部が、壁等の躯体側部材で塞がれることがない遊端１１ｄとなっている場合に、該遊端１１ｄを簡単に塞ぐための塞ぎ具１２を提供する。【解決手段】第一支柱３の上端に、塞ぎ板１２ａが設けられると共に、その逆側に起立片１２ｅが設けられた塞ぎ具本体１２ｂが載置された状態で、該第一支柱３を天井レール１１にセットし、しかる後、本体１２ｂを持ち上げて本体１２ｂに起立片１２ｅを介して設けられた第一固定片１２ｆを天井Ｃ側にビス固定し、その後、第二固定片１２ｇを第一支柱３の塞ぎ板１２ａが設けられた側とは反対側の左右方向内面部３ｉにビス固定することで、塞ぎ板１２ａが天井レール遊端１１ｄを塞ぐ状態で第一支柱３の上端部を天井Ｃ側に固定できるようにする。【選択図】図７
2018071183.tif 000002
【特許請求の範囲】
【請求項１】
間隔を存して立設される複数の支柱と、隣接する支柱間に組込まれるパネル板と、天井に固定され、パネル板および支柱の上端部を内嵌する水平方向に長い天井レールとを備えて構成される間仕切りパネルにおいて、前記天井レールの端縁が、柱や壁等の躯体側部材で塞がれることがない遊端であった場合に、該遊端を塞ぎ具を介して塞ぐにあたり、該塞ぎ具は、遊端を塞ぐべく当てがわれる塞ぎ板と、支柱から突出する状態で天井および天井レールに固定される第一固定片と、支柱上端に固定される第二固定片とが一体に設けられていることを特徴とする間仕切りパネルにおける天井レール遊端の塞ぎ構造。
【請求項２】
塞ぎ具は、天井レールに内嵌する状態で支柱の上端に上下動自在に載置される本体を備え、第一固定片は、本体を上動させることで天井レールに下側から当接して天井および天井レールに固定され、塞ぎ板は、前記第一固定片の固定状態で天井レールの遊端を塞ぎ、第二固定片は、前記第一固定片の固定状態で支柱の天井レール遊端側の側板とは逆側の側板の表側面に当接して該側板に固定されるものであることを特徴とする請求項１記載の間仕切りパネルにおける天井レール遊端の塞ぎ構造。
【請求項３】
塞ぎ具は、塞ぎ板が天井レール遊端に当接し、第二固定片が支柱の天井レール遊端側の側板とは逆側の側板の表側面に当接していることで天井レールの長さ方向の移動が規制されていることを特徴とする請求項２記載の間仕切りパネルにおける天井レール遊端の塞ぎ構造。
【請求項４】
塞ぎ具本体は、塞ぎ板が設けられる縦片と、支柱上端縁に載置される上片とを備えた逆Ｌ字形に構成され、第一固定片は、上片の塞ぎ板が設けられるとは逆側の端縁から上方に向けて突出する起立片の上端から水平方向に向けて突出するよう形成され、第二固定片は、起立片の下端から下方に向けて突出し、第一固定片が天井レールに当接するよう本体を上動させた状態で、支柱の天井レール遊端側の側板とは逆側の側板の表側面に当接する長さを有していることを特徴とする請求項２または３記載の間仕切りパネルにおける天井レール遊端の塞ぎ構造。
【請求項５】
請求項２の塞ぎ具を用いた間仕切りパネルにおける天井レール遊端の塞ぎ方法であって、塞ぎ具本体を支柱上端に載置する工程、該載置された支柱を立設する工程、本体を上動させて第一固定片を天井レールに当接させた後、該当接した第一固定片を天井レールおよび天井に固定させる工程、第二固定片を支柱の天井レール遊端側の側板とは逆側の側板に固定する工程を順次行うことを特徴とする間仕切りパネルにおける天井レール遊端の塞ぎ方法。
【発明の詳細な説明】
【技術分野】
【０００１】
本発明は、建造物の室内空間を仕切る間仕切りパネルにおける天井レール遊端の塞ぎ構造および塞ぎ方法の技術分野に関するものである。
【背景技術】
【０００２】
今日、室内空間を仕切るにあたり間仕切りパネルを用いることがあるが、この場合、間仕切りパネルの上端縁を冂字形をした天井レールに内嵌することで上納まりをすることがある。このようなものにおいて、天井レールの端部を、四角筒形状をした支柱（ポスト）に内嵌する構成のものの場合、中間支柱の上端部を天井レールが内嵌するよう切除する作業が必要があって作業性が劣るという問題がある一方で、天井レールが遊端となる部位においては、支柱の上端部を切除することなく遊端面として残すことで天井レールの遊端が露出しない納まりとすることができるという利点がある。しかしながらこのものでは、前記作業性が損なわれるという問題に加え、支柱が、天井レールを内嵌するため太いものとなって外観が損なわれるという問題がある。
これに対し、逆に支柱を天井レールに内嵌する納まりとした場合、支柱の上端部の切除をしなくてもよく作業性が向上するという利点がある。ところがこの場合、天井レールの端縁が柱や壁等の躯体側部材で塞がれることがない遊端であった場合、該遊端は開口したままで残るため、天井レールの遊端を塞ぐ必要がある。そのためには、天井レールの縦断面形状に略一致するように作成した塞ぎ板を、天井レール遊端に接着剤を介して貼付することが試みられる。ところがこの場合、接着剤が固化して接着が完了するまで塞ぎ板が脱落しないよう押さえておかなければならないこともあって作業性が悪いという問題がある。しかも天井レールは逆凵字形をしたものであるため接着面積が少なく、このため塞ぎ板の強固な接着が難しく、接着が不十分であったような場合、塞ぎ板が位置ズレしたり、脱落したりする惧れがある。
そこで塞ぎ具を、天井レールの溝底片にビス固定される上片と天井レール遊端を塞ぐ塞ぎ板とで逆Ｌ字形にして構成し、該塞ぎ具を用いての天井レール遊端の塞ぎ施工ができるようにしたものが提唱されている（例えば特許文献１参照。）。
【先行技術文献】
【特許文献】
【０００３】
【特許文献１】特開２００９−５７７１９号公報
【発明の概要】
【発明が解決しようとする課題】
【０００４】
ところが前記塞ぎ具を用いたものは、間仕切りパネルの四角筒形状をした支柱の筒内部位において天井レールの溝底部に上片をビス固定するものであるため、支柱を組込む前に塞ぎ具をビス固定する必要があるため、その後組み込む支柱は、塞ぎ板を回避する状態での組込みとなって作業性が損なわれるだけでなく、塞ぎ板と支柱とをビス固定して強度確保しようとする場合、ビスを、視認可能な塞ぎ板の表側面側から螺入することになって外観が損なわれるという問題があり、これらに本発明の解決すべき課題がある。
【課題を解決するための手段】
【０００５】
本発明は、上記の如き実情に鑑みこれらの課題を解決することを目的として創作されたものであって、請求項１の発明は、間隔を存して立設される複数の支柱と、隣接する支柱間に組込まれるパネル板と、天井に固定され、パネル板および支柱の上端部を内嵌する水平方向に長い天井レールとを備えて構成される間仕切りパネルにおいて、前記天井レールの端縁が、柱や壁等の躯体側部材で塞がれることがない遊端であった場合に、該遊端を塞ぎ具を介して塞ぐにあたり、該塞ぎ具は、遊端を塞ぐべく当てがわれる塞ぎ板と、支柱から突出する状態で天井および天井レールに固定される第一固定片と、支柱上端に固定される第二固定片とが一体に設けられていることを特徴とする間仕切りパネルにおける天井レール遊端の塞ぎ構造である。
請求項２の発明は、塞ぎ具は、天井レールに内嵌する状態で支柱の上端に上下動自在に載置される本体を備え、第一固定片は、本体を上動させることで天井レールに下側から当接して天井および天井レールに固定され、塞ぎ板は、前記第一固定片の固定状態で天井レールの遊端を塞ぎ、第二固定片は、前記第一固定片の固定状態で支柱の天井レール遊端側の側板とは逆側の側板の表側面に当接して該側板に固定されるものであることを特徴とする請求項１記載の間仕切りパネルにおける天井レール遊端の塞ぎ構造である。
請求項３の発明は、塞ぎ具は、塞ぎ板が天井レール遊端に当接し、第二固定片が支柱の天井レール遊端側の側板とは逆側の側板の表側面に当接していることで天井レールの長さ方向の移動が規制されていることを特徴とする請求項２記載の間仕切りパネルにおける天井レール遊端の塞ぎ構造である。
請求項４の発明は、塞ぎ具本体は、塞ぎ板が設けられる縦片と、支柱上端縁に載置される上片とを備えた逆Ｌ字形に構成され、第一固定片は、上片の塞ぎ板が設けられるとは逆側の端縁から上方に向けて突出する起立片の上端から水平方向に向けて突出するよう形成され、第二固定片は、起立片の下端から下方に向けて突出し、第一固定片が天井レールに当接するよう本体を上動させた状態で、支柱の天井レール遊端側の側板とは逆側の側板の表側面に当接する長さを有していることを特徴とする請求項２または３記載の間仕切りパネルにおける天井レール遊端の塞ぎ構造である。
請求項５の発明は、請求項２の塞ぎ具を用いた間仕切りパネルにおける天井レール遊端の塞ぎ方法であって、塞ぎ具本体を支柱上端に載置する工程、該載置された支柱を立設する工程、本体を上動させて第一固定片を天井レールに当接させた後、該当接した第一固定片を天井レールおよび天井に固定させる工程、第二固定片を支柱の天井レール遊端側の側板とは逆側の側板に固定する工程を順次行うことを特徴とする間仕切りパネルにおける天井レール遊端の塞ぎ方法である。
【発明の効果】
【０００６】
請求項１の発明とすることにより、天井レールの遊端を塞ぐための塞ぎ板が設けられた塞ぎ具は、支柱から突出する位置での天井および天井レールへの固定、支柱上端部への固定が簡単にできることになって、支柱上端部の支持固定が確実になる。
請求項２および５の発明とすることにより、塞ぎ具が支柱に載置された状態での該支柱上端部の天井レールへの組込みとなるため、塞ぎ板が邪魔になることがなくなって作業性が向上するだけでなく、支柱と塞ぎ具との固定が、支柱の塞ぎ板が設けられる側とは反対側の側板になって塞ぎ板には緊締具のない状態での固定ができ、外観を損なうことがない。
請求項３の発明とすることにより、支柱上端部に載置した塞ぎ具が、天井レールの長さ方向に不用意に移動してしまうことがなく、支柱上端部の天井レールに内嵌する作業が確実になって作業性が向上する。
請求項４の発明とすることにより、塞ぎ具は、上動させることにより第一固定片の天井側への固定ができるが、この固定状態で第二固定片が支柱の塞ぎ板がない側の側片に当接する長さを有するため、支柱と塞ぎ具との固定も確実かつ簡単になり、作業性が向上する。
【図面の簡単な説明】
【０００７】
【図１】間仕切りパネルの正面図である。
【図２】（Ａ）（Ｂ）は図１のＡ−Ａ、Ｂ−Ｂ断面図である。
【図３】（Ａ）（Ｂ）（Ｃ）は床レール部位の一部断面正面図、一部断面平面図、縦断面側面図である。
【図４】（Ａ）（Ｂ）は第一支柱部位の水平断面平面図、第二支柱部位の水平断面平面図である。
【図５】（Ａ）（Ｂ）（Ｃ）は第一支柱の平面図、第二支柱の平面図、第二支柱に対して肉薄にした部位を太線で示した第一支柱の平面図である。
【図６】（Ａ）（Ｂ）（Ｃ）はベース金具の平面図、正面図、側面図である。
【図７】（Ａ）（Ｂ）（Ｃ）（Ｄ）は天井レールの遊端部位の断面正面図、側面図、断面底面図、天井レールの側面図である。
【図８】（Ａ）（Ｂ）（Ｃ）（Ｄ）（Ｅ）は塞ぎ具の正面図、左側面図、右側面図、平面図、斜視図である。
【図９】（Ａ）（Ｂ）は塞ぎ具を第一支柱の上端に載置した状態を示す正面断面図、右側面図である。
【図１０】（Ａ）（Ｂ）（Ｃ）は塞ぎ具が載置された第一支柱を天井レール遊端部に組込んだ状態を示す正面断面図、左側面図、右側断面図である。
【図１１】（Ａ）（Ｂ）（Ｃ）は第一固定片を天井側に固定した状態を示す正面断面図、左側面図、右側断面図である。
【図１２】（Ａ）（Ｂ）は第二固定片を第一支柱に固定した状態を示す正面断面図、右側断面図である。
【発明を実施するための形態】
【０００８】
以下、本発明の実施の形態について、図面に基づいて説明する。図面において、Ｐは間仕切りパネルであって、該間仕切りパネルＰは高さが低い第一間仕切りパネル１と高い第二間仕切りパネル２との二種類が隣接するようにして設けられている。そしてこれら第一、第二間仕切りパネル１、２は、左右に間隔を存して立設される第一、第二支柱（ポスト）３、４と、これら左右に隣接する第一、第二支柱３、４間に組込まれる（介装される）パネル板５とによりそれぞれ構成されるが、パネル板５は、本実施の形態では表裏面板５ａと該表裏面板５ａ間に内装される内装材（例えばペーパーコア）５ｂとにより構成されているが、単純な板材や複層板状のガラス板等の板材の一種類あるいは複数種類を組み合わせたものとして構成できること等は何れも従来通りである。
因みに、本実施の形態では、第一、第二間仕切りパネル１、２の厚み方向（見込方向）を前後方向、左右方向（見付け方向）を左右方向、間仕切りパネル１、２の左右方向中央側を左右方向内側、左右方向中央から外れる（遠くなる）側を左右方向外側、図面において間仕切りパネル１、２の厚み方向を前後方向と便宜上定義するが、これに拘泥されるものではないことは勿論である。
【０００９】
本実施の形態の第一、第二支柱３、４は、前後左右方向の長さ（幅）が等しく設定された中空状のものであって、左右の両前側コーナー部３ａ、３ａ同士と４ａ、４ａ同士、左右の両後側コーナー部３ｂ、３ｂ同士と４ｂ、４ｂ同士をそれぞれ連結する前後側面部３ｃ、３ｄと４ｃ、４ｄと、前後側コーナー部３ａ、３ｂ同士と４ａ、４ｂ同士の対向側に向けて前後方向に延設され、中央部に前記パネル板５が嵌入するよう切欠き部３ｅ、４ｅが形成された左右外側面部３ｆ、４ｆと、各前後側コーナー部３ａ、３ｂおよび４ａ、４ｂから筒中心方向（対角方向）に向けて延設された前後両側の脚片部３ｇ、３ｈ及び４ｇ、４ｈと、該前後側脚片部３ｇ、３ｈ及び４ｇ、４ｈの先端（内端）同士を連結する左右内側面部（本発明の「側板」に相当する。）３ｉ、４ｉとを備えて構成されている。さらに左右外側面部３ｆ、４ｆの先端（切欠き端）は、筒中心側に向けて段差状になった段差部３ｊ、４ｊが形成されている。
そして第一、第二支柱３、４は、後述するように、前後側脚片部３ｇ、３ｈ及び４ｇ、４ｈと、左右内側面部３ｉ、４ｉを除いた他の表側面（外面）形状は同じになるように設定される一方で、長さの長い第二支柱４は、短い第一支柱３の肉厚よりも厚い設定になっていて、強度アップが図れるようになっている。
【００１０】
６は前記パネル板５の下端部を支持するべく床面Ｆに固定される床レールであって、該床レール６は、外幅がパネル板５の厚さと略同じ寸法になっていて第一、第二支柱３、４の切欠き部３ｅ、４ｅに嵌入するようになった断面凵字形をし、底面部６ａが緊締具（例えばタッピンネジやアンカーボルト）６ｂを介して床面Ｆに固定されるようになっている。
７は巾木であって、該巾木７は、内幅がパネル板５の厚さに設定され、外幅が段差部３ｊ、４ｊに突き当てられる寸法設定になった一対の脚片７ａと、該脚片７ａ同士を連結する連結片７ｂとにより略Ｈ字形をしており、連結片７ｂよりも下側の脚片７ａ間には床レール６の脚片６ｃが内嵌し、連結片７ｂの上面には脚片７ａの上端側から嵌入したパネル板５の下端縁が当接するようになっている。
また床レール６の底面部６ａには冂字形をしたアジャスタ金具８がセットされ、該アジャスタ金具８の上片８ａにアジャスタボルト９の螺子部９ａが螺入している。アジャスタボルト９の頭部９ｂは前記巾木７の連結片７ｂに下側から当接している。そしてアジャスタボルト９をアジャスタ金具８に対して上下動することで巾木７の上下調節ができ、これによってパネル板５の上下位置調節ができるようになっている。
【００１１】
１０は前記支柱３、４の下端部を外嵌支持して立設するためのベース金具であって、該ベース金具１０は、緊締具１０ａによって床面Ｆに固定される四角形状をした底面部１０ｂと、該底面部１０ｂの外周部から適間隔を存して起立する起立片１０ｃとを備えて構成されるが、起立片１０ｃには外側に向けて突出していて支柱３、４の前後側面部３ｃ、３ｄ、４ｃ、４ｄ、左右内側面部３ｉ、４ｉの内周面（内側面）に当接することで支柱３、４を立設（起立）支持するための当接部１０ｄが形成されている。
【００１２】
前述したように第二支柱４は、第一支柱３よりも上下方向に長い仕様の間仕切りパネルに用いられるため、肉厚に設定されていて強度アップを図っているのに対し、短い仕様の間仕切りパネルに用いられる第一支柱３は、第二支柱４ほどの強度が必要なく、そのため肉薄になっているが、ベース金具１０は共通のもの（同じもの）を用いている。そのため第一支柱３は、前記当接部１０ｄが当接する被当接部３ｋについては、第二支柱４の被当接部４ｋと同じ位置に位置するように設定されているが、それ以外の内周面側部位については肉を削いだ内側肉薄部３ｌとなっている（図５（Ｃ）の太線部分）。さらに本実施の形態では、前記被当接部３ｋのうち、パネル板５の端縁部が切欠き部３ｅに内嵌する等して組み立て後の間仕切りパネルとしては外観されることがない部位である左右内側面部３ｉの被当接部３ｋの表側面も肉を削いだ表側肉薄部３ｍになっており、これによって第一支柱３は長い第二支柱４ほどの強度は必要なく、短い第一支柱３として必要な強度は十分に確保できることになる。
尚、本実施の形態では第一支柱３の前後側脚片部３ｇ、３ｈ、左右外側面部３ｆの内周側面部についても肉薄になっている。
しかも第一支柱３は、間仕切りパネルＰとして組み立てられた後は、第二支柱４と同じ外観形状となるように設定されているが、間仕切りパネルＰとして組み立てたときにはパネル板５が切欠き部３ｅに内嵌することで外観視することができない表側肉薄部３ｍの有無を確認することによって、第一支柱３であるか第二支柱４であるかの区別ができるようになっていて、端部まで行って内側肉薄部３ｌの存否により何れの支柱３または４であるかの確認をする必要がないように設定されている。
【００１３】
一方、１１は冂字形をした天井レールであって、該天井レール１１は間仕切りパネル全長に亘って設けられるものであるが、跨部１１ａが緊締具１１ｂによって天井Ｃに固定される。そして天井レール１１の脚片１１ｃの内幅は、前記第一、第二支柱３、４が内嵌する寸法設定になっている。
【００１４】
１２は天井レール１１の遊端（壁Ｗや柱等の躯体側部材に突き当たらない端縁であって、例えば通路として使用されるため間仕切りパネル１が設けられない部位における天井レール１１の端縁）１１ｄを塞ぐための塞ぎ具であって、該塞ぎ具１２は、前記遊端１１ｄに突き当てられて該遊端１１ｄを塞ぐための塞ぎ板１２ａと、逆Ｌ字形をし、縦片１２ｃが塞ぎ板１２ａの左右方向内面に固定され、上片１２ｄが第一支柱３（塞ぎ具１２は、第二支柱４側の天井レール１１側に遊端があった場合、該遊端についても第一支柱３と同じ取付け構造となって設けられることは言うまでもない。）の左右内側面部３ｉの上端に載置される本体１２ｂと、上片１２ｄの左右方向内端（塞ぎ板が設けられる側とは逆側の左右内側面部３ｉの表側面に当接する位置）から上方に向けて起立する起立片１２ｅと、該起立片１２ｅの上端から塞ぎ板１２ａに対して遠ざかる方向に向けて水平状に延出する第一固定片１２ｆと、起立片１２ｅの下端縁から前記逆側の左右内側面部３ｉの表側面に当接する状態で下方に向けて延出するが、その延出長さは塞ぎ具１２を持ち上げて前記第一固定片１２ｆを天井レール１１の跨部（溝底部）１１ａに当接させてもまだ前記逆側の左右内側面部３ｉの表側面に当接しているように長さ設定された第二固定片１２ｇとを備えて構成され、第一、第二固定片１２ｆ、１２ｇにはそれぞれビス孔１２ｈ、１２ｉが形成されている。
【００１５】
そして塞ぎ具１２は、図９（Ａ）（Ｂ）に示すように、塞ぎ板１２ａが天井レール遊端１１ｄに当接し、本体上片１２ｄが第一支柱３の左右内側面部３ｉの上端に載置され、かつ第二固定片１２ｇが前記逆側の左右内側面部３ｉの表側面に当接する状態で第一支柱３の上端にセットし、この状態で図１０（Ａ）（Ｂ）（Ｃ）に示すように第一支柱３の上端部を天井レール１１の遊端１１ｄ側から持ち上げ状に嵌入した後、第一支柱３の下端をベース金具１０に外嵌セットして第一支柱を起立させる。次に図１１（Ａ）（Ｂ）（Ｃ）に示すように、塞ぎ具１２を持ち上げて第一固定片１２ｆを天井レール１１の跨部１１ａに当接させた状態で、該第一固定片１２ｆをビス（緊締具）１２ｊを介し該跨部１１ａおよび天井Ｃに固定する。しかる後、図１２（Ａ）（Ｂ）に示すように、第二固定片１２ｇを前記逆側の左右内側面部３ｉにビス（緊締具）１２ｊを介して固定することで、天井レール遊端１１ｄを塞ぎ板１２ａで塞いだ状態で第一支柱３の上端部を天井Ｃ側に固定できるようになっている。
尚、第一間仕切りパネル１の遊端となる第一支柱３は、このままでは左右内側面部３ｉの遊端１１ｄ側の面が凹溝状に外観されるため、塞ぎ材１３を用いで塞ぐようにしている。
また本実施の形態において、壁や柱等の躯体側部材で塞がれる遊端を有した天井レールについては、図２に示すように、逆Ｌ字形をした支持金具１４を用いて天井Ｃ側に固定するようにしているが、中間の第一、第二支柱３、４についても同様に支持金具１４を介して天井Ｃ側に固定しても勿論よい。
【００１６】
叙述の如く構成された本発明の実施の形態において、天井レール１１は、長さが短い第一支柱３側の端縁が、壁や柱等の躯体側部材によって塞がれることがない遊端１１ｄとなっており、この遊端１１ｄが塞ぎ具１２によって塞がれることになるが、該塞ぎ具１２は、塞ぎ板１２ａが天井レール遊端１１ｄに当接し、第二固定片１２ｇが、前記塞ぎ板１２ａが設けられる側とは逆側の左右方向内面部３ｉの表側面に当接する状態で第一支柱３の上端に載置し、この状態で第一支柱３の上端を塞ぎ具１２と共に天井レール１１の遊端部位に持ち上げ状に内嵌した後、第一支柱３の下端を予め床Ｆに固定されているベース金具１０に外嵌して第一支柱３を立設させる。
ついで塞ぎ具１２を第一支柱３から持ち上げて第一固定片１２ｆを天井レール１１の跨部１１ａに下側から当接させ、緊締具であるビス１２ｊを用いて第一固定片１２ｆを天井レール１１および天井Ｃに固定する。このとき、塞ぎ板１２ａは天井レール遊端１１ｄを塞ぐことになる。しかる後、第二固定片１２ｇをビス１２ｊを介して前記逆側の左右方向内面部３ｉに固定することで、前記遊端１１ｄを塞ぐ状態で第一支柱３の上端部を塞ぎ具１２を介して天井Ｃ側への固定ができることになる。
【００１７】
このように本発明が実施されたものにおいては、天井レール遊端１１ｄ側での第一支柱３の天井レール１１への内嵌組込みが、塞ぎ板１２ａに邪魔されることなく行えると共に、第一支柱３の、天井Ｃ側に固定された塞ぎ具１２に対する固定が、塞ぎ板１２ａ側ではなく、塞ぎ板１２ａとは逆側の左右方向内面部３ｉで行われることになるため、ビス１２ｊが外観されることがなく、外観性の優れたものになる。
【００１８】
しかもこのものでは、第一支柱３の上端に塞ぎ具１２がセットされた状態で天井レール遊端１１側から嵌入した場合に、塞ぎ板１２ａが天井レール遊端１１ｄに当接すると共に、第二固定片１２ｇが塞ぎ板１２ａがある側とは逆側の左右方向内面部３ｉの表側面に当接することとなって塞ぎ具１２が天井レール１１の長さ方向に不用意に移動してしまうことがないことになって組み付け作業の作業性が向上する。
【００１９】
そのうえこのものでは、塞ぎ具本体１２ｂというものが、塞ぎ板１２ａが設けられる縦片１２ｃと、第一支柱３の上端縁に載置される上片１２ｄとを備えた逆Ｌ字形に構成され、第一固定片１２ｆが、上片１２ｄの塞ぎ板１２ａが設けられるとは逆側の端縁から上方に向けて突出する起立片１２ｅの上端から水平方向に向けて塞ぎ板１２ａから離間する方向に突出するよう形成されているため、第一固定片１２ｆの天井Ｃ側への固定位置が、第一支柱３の取付け位置からずれた位置になるため、第一支柱３を取り付け位置にセットした状態で第一固定片１２ｆの天井Ｃ側への固定作業ができることになり、作業性が向上する。
【００２０】
一方、第二固定片１２ｇは、起立片１２ｅの下端から下方に向けて突出し、第一固定片１２ｆが天井レール１１の跨部１１ａに当接するよう本体１２ｂを上動させた状態で、第一支柱３の天井レール遊端１１ｄ側とは逆側の左右内側面部３ｉの表側面に当接する長さを有しているため、第二固定片１２ｇと第二支柱３に対する緊締具であるビス１２ｊを介しての固定作業が簡単に行えるだけでなく、該ビス１２ｊが塞ぎ板１２ａの表側面側から目視されてしまうことがなく、外観が損なわれることもない。
【産業上の利用可能性】
【００２１】
本発明は、建造物の室内空間を仕切る間仕切りパネルにおける天井レール遊端を塞ぐ技術として利用することができる。
【符号の説明】
【００２２】
１  第一間仕切りパネル
２  第二間仕切りパネル
３  第一支柱
３ｉ  左右内側面部
４  第二支柱
５  パネル板
１１  天井レール
１１ａ  跨部
１１ｄ  遊端
１２  塞ぎ具
１２ａ  塞ぎ板
１２ｂ  本体
１２ｃ  縦片
１２ｄ  上片
１２ｅ  起立片
１２ｆ  第一固定片
１２ｇ  第二固定片
Ｃ  天井
Ｆ  床面
Ｐ  間仕切りパネル
【図１】
2018071183.tif 000003
【図２】
2018071183.tif 000004
【図３】
2018071183.tif 000005
【図４】
2018071183.tif 000006
【図５】
2018071183.tif 000007
【図６】
2018071183.tif 000008
【図７】
2018071183.tif 000009
【図８】
2018071183.tif 000010
【図９】
2018071183.tif 000011
【図１０】
2018071183.tif 000012
【図１１】
2018071183.tif 000013
【図１２】
2018071183.tif 000014